(57)【要約】とりわけ、本発明は、種々のフットウェアピースと、このようなピースを製造するための方法を提供する。種々の場合において、フットウェアピースは、複数の階層を持つ材料から成形される。いくつかの例示的な例において、フットウェアピースは、フットウェアピースの靴底と接して動かされ得、かつ、フットウェアピースの靴底に関して固定され得るか、または、フットウェアピースの靴の甲と接して動かされ得、かつ、フットウェアピースの靴の甲に関して固定され得る、旋回するストラップを備える。いくつかの他の例において、フットウェアピースは、フットウェアピースに形成される１つ以上の通気孔を備え、この通気孔は、フットウェアピースの表面上にこぼれた液体をフットウェアピース内の足から運ぶことができる液体導体によって囲まれている。
2006514859.tif 000002
【特許請求の範囲】
【請求項１】
通気性のフットウェアピースであって、該通気性のフットウェアピースは、靴の甲と靴底とを備える底部セクションを備え、該靴の甲が、実質的に水平な部分と実質的に垂直な部分を備え、該実質的に水平な部分が、中実な部分であり、そして、複数の通気孔が該実質的に垂直な部分に形成される、通気性のフットウェアピース。
【請求項２】
前記通気孔の各々の周りに液体導体が形成される、請求項１に記載の通気性のフットウェアピース。
【請求項３】
前記液体導体が、前記靴の甲に取り付けられる、請求項２に記載の通気性のフットウェアピース。
【請求項４】
前記液体導体が、前記靴の甲の一部として形成される、請求項２に記載の通気性のフットウェアピース。
【請求項５】
前記底部セクションが、発泡体材料の連続片から成形される、請求項１に記載の通気性のフットウェアピース。
【請求項６】
穴の形態の前記複数の通気孔が、前記底部セクションを成形する一部として前記靴の甲に形成される、請求項５に記載の通気性のフットウェアピース。
【請求項７】
前記発泡体材料が、樹脂を用いて製造される、請求項５に記載の通気性のフットウェアピース。
【請求項８】
前記樹脂が混合されて、拡大係数および収縮係数を示す、請求項７に記載の通気性のフットウェアピース。
【請求項９】
前記拡大係数と前記収縮係数との和が、両端を含む、１．４６と１．５８との間にある、請求項８に記載の通気性のフットウェアピース。
【請求項１０】
前記靴底が、底部表面と支持底部を備え、該支持底部が隆起したパターンを備え、該隆起したパターンにおいて足が該支持底部に接する、請求項１に記載の通気性のフットウェアピース。
【請求項１１】
通気性の作業靴であって、該通気性の作業靴は、靴の甲と靴底とを備え、ここで、該靴の甲は、液体導体によって取り囲まれる少なくとも１つの通気孔を備える、通気性の作業靴。
【請求項１２】
前記靴の甲と前記靴底とが、単一のパーツとして形成される、請求項１１に記載の通気性の作業靴。
【請求項１３】
前記単一のパーツが、発泡体材料から製造される、請求項１２に記載の通気性の作業靴。
【請求項１４】
前記液体導体が、前記靴の甲の一部として形成される、請求項１１に記載の通気性の作業靴。
【請求項１５】
前記液体導体が、前記靴の甲に取り付けられる、請求項１１に記載の通気性の作業靴。
【請求項１６】
通気性の作業靴を製造するための方法であって、該方法は以下：
型を提供する工程であって、該型は、靴の甲および靴底の輪郭を提供し、該靴の甲は実質的に水平な部分と実質的に垂直な部分とを備え、ここで、該実質的に水平な部分は中実な部分であり、そして、複数の通気孔が該実質的に垂直な部分において形成される、工程；
一定分量の樹脂を該型にねじ込む工程であって、該樹脂は、フットウェアピースの形態で固まる、工程；
該型を開く工程；ならびに
該フットウェアピースを取り外す工程
を包含する、方法。
【請求項１７】
前記靴の甲の輪郭が、前記複数の通気孔の各々の周りに形成される液体導体を備える、請求項１６に記載の方法。
【請求項１８】
前記方法が、さらに、フットウェアピースを風冷する工程を包含する、請求項１６に記載の方法。
【請求項１９】
前記フットウェアピースが、前記型が開いているときに拡大し、該フットウェアピースが冷却されるときに収縮する、請求項１６に記載の方法。
【請求項２０】
前記拡大と収縮との組み合せが、約１．５１である、請求項１９に記載の方法。
【請求項２１】
組立式のフットウェアピースであって、該組立式のフットウェアピースは、以下：
第１のパーツとして形成される靴の甲と靴底とを備える底部セクション；および
第２のパーツとして形成されるストラップセクションであって、該ストラップセクションは、該ストラップが、該底部セクションに対して旋回するように、該底部セクションに取り付けられる、ストラップセクション
を備える、組立式のフットウェアピース。
【請求項２２】
前記第１のパーツが、発泡体材料の連続片から成形される、請求項２１に記載の組立式のフットウェアピース。
【請求項２３】
前記発泡体材料が、複数の階層を持つ材料である、請求項２２に記載の組立式のフットウェアピース。
【請求項２４】
前記複数の階層を持つ材料が、樹脂を用いて製造される、請求項２３に記載の組立式のフットウェアピース。
【請求項２５】
前記樹脂が混合されて、拡大係数と収縮係数とを示す、請求項２４に記載の組立式のフットウェアピース。
【請求項２６】
前記拡大係数と前記収縮係数との和が、両端を含む１．４６と１．５８との間にある、請求項２５に記載の組立式のフットウェアピース。
【請求項２７】
前記材料の連続片が、発泡体材料の第１の連続片であり、ここで、前記ストラップセクションが、発泡体材料の第２の連続片から成形される、請求項２２に記載の組立式のフットウェアピース。
【請求項２８】
前記発泡体材料の第１の連続片と、前記発泡体の第２の連続片が、別の形状に形成された同じ材料である、請求項２７に記載の組立式のフットウェアピース。
【請求項２９】
前記ストラップセクションが、第１のリベットと第２のリベットによって前記底部セクションに取り付けられ、該第１のリベットは、該ストラップセクションの第１の端を該底部セクションの第１の側に固定し、第２のリベットが、該ストラップセクションの第２の端を該底部セクションの第２の側に固定する、請求項２１に記載の組立式のフットウェアピース。
【請求項３０】
前記第１のリベットおよび前記第２のリベットが、プラスチック製である、請求項２９に記載の組立式のフットウェアピース。
【請求項３１】
前記ストラップセクションおよび前記底部セクションが、複数の階層を持つ発泡体材料から形成され、前記プラスチックが、該複数の階層を持つ発泡体材料よりも高密度である、請求項３０に記載の組立式のフットウェアピース。
【請求項３２】
前記第１のリベットが、第１の取り付け点に配置され、前記第２のリベットが、第２の取り付け位置に配置され、前記底部セクションが背面の靴底周を備え、該背面の靴底周に沿った該第１の取り付け点から該第２の取り付け点までの距離は、前記ストラップセクションに沿った該第１の取り付け点から該第２の取り付け点までとほぼ同じ距離である、請求項２９に記載の組立式のフットウェアピース。
【請求項３３】
前記ストラップセクションが、前記底部セクションに関して旋回し得、その結果、該ストラップセクションの内側部分が、前記背面の靴底周の外側部分と接する、請求項３２に記載の組立式のフットウェアピース。
【請求項３４】
前記ストラップセクションの内側部分と、前記背面の靴底周の外側部分との間の接点における、該ストラップセクションと前記底部セクションとの間の摩擦力が、該底部セクションに対して該ストラップセクションを固定されたままにする、請求項３３に記載の組立式のフットウェアピース。
【請求項３５】
前記第１のリベットが、第１の取り付け点に配置され、前記第２のリベットが第２の取り付け点に配置され、前記底部セクションが、靴の甲の開口部周を備え、該靴の甲の開口部周に沿った該第１の取り付け点から該第２の取り付け点までの距離は、前記ストラップセクションに沿った、該第１の取り付け点から該第２の取り付け点までと、ほぼ同じ距離である、請求項２９に記載の組立式のフットウェアピース。
【請求項３６】
前記ストラップセクションが、前記底部セクションに関して旋回し得、その結果、該ストラップセクションの内側部分が、前記靴の甲の開口部周の外側部分と接する、請求項３５に記載の組立式のフットウェアピース。
【請求項３７】
前記ストラップセクションの内側部分と、前記靴の甲の開口部周の外側部分との間の接点における、該ストラップセクションと前記底部セクションとの間の摩擦力が、該底部セクションに関して該ストラップセクションを固定されたままにする、請求項３６に記載の組立式のフットウェアピース。
【請求項３８】
前記第１のリベットが第１の取付け点に配置され、前記第２のリベットが、第２の取り付け点に配置され、前記底部セクションが、靴の甲の開口部周を備え、該底部セクションが、背面の靴底周を備え、ここで、該靴の甲の開口部周に沿った、該第１の取り付け点から該第２の取り付け点までの距離は、前記ストラップセクションに沿った該第１の取り付け点から該第２の取り付け点までとほぼ同じ距離であり；そして、該背面の靴底周に沿った該第１の取り付け点から該第２の取り付け点までの距離は、該ストラップセクションに沿った該第１の取り付け点から該第２の取り付け点までとほぼ同じ距離である、請求項２９に記載の組立式のフットウェアピース。
【請求項３９】
複数の通気孔が前記靴の甲に形成される、請求項２１に記載の組立式のフットウェアピース。
【請求項４０】
前記靴の甲が、実質的に水平な部分と実質的に垂直な部分とを備え、前記複数の通気孔の少なくとも１つが、該実質的に垂直な部分に形成され、そして、該複数の通気孔の少なくとも１つが該実質的に水平な部分に形成される、請求項３９に記載の組立式のフットウェアピース。
【請求項４１】
前記靴の甲が、実質的に垂直な領域を備え、該実質的に垂直な領域が、つま先領域と開口部側領域とを備え、該つま先領域は中実の部分であり、そして、前記複数の通気孔の少なくともいくつかが、側部領域に形成される、請求項３９に記載の組立式のフットウェアピース。
【請求項４２】
前記靴の甲のつま先領域が、ヒトの足のより大きいつま先に対応する位置に延び、該靴の甲のつま先領域が、ほぼヒトの足の輪郭に沿う、請求項２１に記載の組立式のフットウェアピース。
【請求項４３】
前記靴底が、背面の靴底周と支持底部とを備え、該背面の靴底周は、該支持底部の上に隆起している、請求項２１に記載の組立式のフットウェアピース。
【請求項４４】
前記靴底が、支持底部を備え、該支持底部が隆起したパターンを備え、ここで足が該支持底部に接する、請求項２１に記載の組立式のフットウェアピース。
【請求項４５】
前記靴底が底部表面と支持底部とを備え、該支持底部が隆起したパターンを備え、ここで足が該支持底部に接する、請求項２１に記載の組立式のフットウェアピース。
【請求項４６】
前記ストラップセクションが、穿孔された穴を使用して、前記底部セクションに取り付けられる、請求項２１に記載の組立式のフットウェアピース。
【請求項４７】
前記穴の形態の複数の通気孔が、前記底部セクションを製造する一部として前記靴の甲に形成される、請求項４６に記載の組立式のフットウェアピース。
【請求項４８】
組立式のフットウェアピースであって、該組立式のフットウェアピースは、以下：
靴の甲と靴底とを備える底部セクションであって、該靴の甲が開いた背面領域を備え、該靴底が背面周を備える、底部セクション；および
旋回可能な接続によって該底部セクションに取り付けられるストラップセクションであって、該ストラップセクションは、該底部セクションに関して旋回可能である、ストラップセクション
を備える、組立式のフットウェアピース。
【請求項４９】
前記旋回可能な接続がリベットである、請求項４８に記載の組立式のフットウェアピース。
【請求項５０】
前記リベットが、プラスチックおよび金属からなる群から選択される材料から形成される、請求項４９に記載の組立式のフットウェアピース。
【請求項５１】
前記底部セクションと前記ストラップセクションが、発泡体材料から形成される、請求項４８に記載の組立式のフットウェアピース。
【請求項５２】
前記底部セクションが、複数の組立パーツを含む、請求項４８に記載の組立式のフットウェアピース。
【請求項５３】
組立式のフットウェアピースを製造するための方法であって、該方法は以下：
底部セクションを成形する工程であって、該底部セクションは、靴の甲と靴底とを備える、工程；
ストラップセクションを成形する工程；および
該ストラップセクションを該底部セクションに取付け、その結果、該ストラップが、該底部セクションに関して旋回する、工程
を包含する、方法。
【請求項５４】
前記ストラップセクションの前記底部セクションへの取り付けが、該ストラップセクションの第１の端を該底部セクションの第１の側に釘付けする工程および該ストラップセクションの第２の端を該底部セクションの第２の側に釘付けする工程とを包含する、請求項５３に記載の方法。
【請求項５５】
前記ストラップセクションの前記底部セクションへの取り付けが、さらに、該底部セクションの第１の側に第１の穴を穿孔する工程、および該底部セクションの第２の側に第２の穴を穿孔する工程を包含する、請求項５４に記載の方法。
【請求項５６】
前記底部セクションが、背面の靴底周と、靴の甲の開口部周とを備え、ここで、該底部セクションの第１の側の第１の穴が、該背面の靴底周の中央点からと、該靴の甲の開口部周の中央点からとほぼ等しい距離に配置される、請求項５５に記載の方法。
【請求項５７】
前記底部セクションが、背面の靴底周と靴の甲の開口部周とを備え、該背面の靴底周に沿って測定した該底部セクションの第１の側の第１の穴から該底部セクションの第２の側の第２の穴までの距離は、該靴の甲の開口部周に沿って測定した、該底部セクションの第１の側の第１の穴から該底部セクションの第２の側の第２の穴までとほぼ同じ距離である、請求項５５に記載の方法。
【請求項５８】
前記底部セクションへの前記ストラップセクションの取付けが、さらに、該ストラップセクションの第１の端に第１の穴を穿孔する工程、および該ストラップセクションの第２の端に第２の穴を穿孔する工程を包含する、請求項５５に記載の方法。
【請求項５９】
前記底部セクションの第１の側への前記ストラップセクションの第１の端の釘付けが、該ストラップセクションの第１の端の第１の穴を通して、そして、該底部セクションの第１の側の第１の穴を通してリベットの一方の側を配置する工程を包含する、請求項５８に記載の方法。
【発明の詳細な説明】
【技術分野】
【０００１】
（関連出願の引用）
本出願は、米国仮特許出願第６０／４７３，３６０号（代理人整理番号０４０１３０−０５００００）（発明の名称「ＦＯＯＴＷＥＡＲ  ＰＩＥＣＥＳ  ＡＮＤ  ＭＥＴＨＯＤＳ  ＦＯＲ  ＭＡＮＵＦＡＣＴＵＲＩＮＧ  ＳＵＣＨ」で、２００３年５月２３日出願、本願と共通する主体に譲渡される）；および米国仮特許出願第６０／４７３，３７１号（代理人整理番号０４０１３０−０５１０００）（発明の名称「ＭＥＴＨＯＤＳ  ＡＮＤ  ＣＯＭＰＯＳＩＴＥＳ  ＦＯＲ  ＭＡＮＵＦＡＣＴＵＲＩＮＧ  ＦＯＯＴＷＥＡＲ  ＰＩＥＣＥＳ」、これもまた２００３年５月２３日出願、本願と共通する主体に譲渡される）に対する優先権を主張する。さらに、本出願は、米国特許出願第１０／６０３，１２６号（代理人整理番号０４０１３０−０５０１００）（発明の名称「ＢＲＥＡＴＨＡＢＬＥ  ＷＯＲＫＳＨＯＥＳ  ＡＮＤ  ＭＥＴＨＯＤＳ  ＦＯＲ  ＭＡＮＵＦＡＣＴＵＲＩＮＧ  ＳＵＣＨ」）および米国特許第１０／６０２，４１６号（代理人整理番号０４０１３０−０５００１０）（発明の名称「ＦＯＯＴＷＥＡＲ  ＰＩＥＣＥＳ  ＡＮＤ  ＭＥＴＨＯＤＳ  ＦＯＲ  ＭＡＮＵＦＡＣＴＵＲＩＮＧ  ＳＵＣＨ」）（両方とも、２００３年６月２３日出願、本願と共通する主体に譲渡される）に対する優先権を主張する。上記の特許出願の各々の全体が、あらゆる目的のために、本明細書中に参考として援用される。
【背景技術】
【０００２】
（発明の背景）
本発明は、フットウェア、特に、ストラップおよび通気孔を備えるフットウェアに関する。
【０００３】
最近の流行は、作業環境において、快適なフットウェアを装着する方向に向かいつつある。しかし、多くの型の快適なフットウェアは、種々の作業環境に不適合である。例えば、多くの作業環境は、一般に公知のかかとのないサンダル（ｆｌｉｐ−ｆｌｏｐ）の使用を可能にする。しかし、かかとのないサンダルは、安全でも防水でもないため、これらは、作業環境における使用に適さない。従って、ヒトの靴が、靴に対して固定されなければならないか、または、有意な量の防水保護を提供しなければならない適用について、かかとのないサンダルは、役に立たないことが分かっている。同様に、サンダル（ｓａｎｄａｌ）は、防水ではなく、従って、種々の作業環境に適合しない。ほんの一つの例として、病院施設において、快適な靴を装着することが可能であり得る。しかし、液体については、こぼれるのが一般的である。従って、かかとのないサンダルも、サンダルも、このようなこぼれた液体からの十分な防御を提供し得ない。
【０００４】
サンダルは、代表的には、サンダルを足に固定し得るストラップを備え、いくつかの場合、サンダルは、かかとのないサンダルが満たせないものについて申し分ないものであり得る。しかし、このようなサンダルはしばしば、かかとのないサンダルによって提供される使用の簡便さを提供しない。さらに、このようなサンダルは、代表的には、例えば、濡れた地面をよく捉えない、比較的なめらかな材料から製造される。
【０００５】
従って、これらおよび他の制限に取り組む必要性が当該分野において存在する。
【発明の開示】
【課題を解決するための手段】
【０００６】
（発明の簡単な要旨）
とりわけ、本発明は、種々のフットウェアピースと、このようなピースを製造するための方法を提供する。種々の場合において、フットウェアピースは、複数の階層を持つ材料または発泡体材料を使用して成形される。いくつかの例示的な場合において、フットウェアピースは、フットウェアピースの靴底と接して動かされ得、かつフットウェアピースの靴底に関して固定され得るか、または、フットウェアピースの靴の甲と接して動かされ得、かつフットウェアピースの靴の甲に関して固定され得る、旋回するストラップを備える。いくつかの他の場合において、フットウェアピースは、フットウェアピースの通気孔または穴の周りに形成される液体導体を備える。このような液体導体は、フットウェアピースに挿入される足から液体を分散させるように働く。
【０００７】
本発明のいくつかの実施形態は、靴の甲と靴底とを含む底部セクションを備える、通気性のフットウェアピースを提供する。靴の甲は、実質的に水平な部分と実質的に垂直な部分とを備える。実質的に水平な部分は中実であり、一方で、実質的に垂直な部分は、実質的に垂直な部分に形成される１つ以上の通気孔を備える。特定の例において、液体導体が各通気孔の周りに形成される。いくつかの場合において、液体導体は、靴の甲の一部として成形され、他の場合において、液体導体は、靴の甲が別の方法で形成された後に、靴の甲に取り付けられる。１つの特定の場合において、底部セクションを形成するために使用される材料は、約１．５１の最終膨張値を示す。このような膨張値は、水中で浮き、例えば、濡れた床で使用される場合に滑りに抵抗性である、軽い重量の快適なフットウェアピースを提供する。
【０００８】
本発明の他の実施形態は、底部セクションとストラップセクションとを備える組立式の靴ピースを提供する。底部セクションは、１つのパーツとして形成された靴の甲と靴底とを備える。ストラップセクションは、底部セクションに取り付けられる第２のパーツとして形成され、その結果、ストラップが、底部セクションに関して旋回する。いくつかの例において、底部セクションは、発泡体材料の連続片から成形される。このような発泡体材料は、樹脂ベースを使用して製造された、複数の階層を持つ材料であり得る。樹脂材料が使用される場合、樹脂材料は混合されて、拡大係数と収縮係数を示し得る。特定の場合において、拡大係数と収縮係数を拡大することによって、製品、すなわち、両端を含む１．４６と１．５８との間にある最終膨張値を生じる。
【０００９】
種々の例において、底部セクションおよびストラップセクションは、同じ材料から形成される。このような材料は、２つの異なる形状に形成された上記の発泡体材料であり得る。他の場合において、ストラップセクションおよび底部セクションは、異なる材料から形成される。例えば、底部セクションは、皮および／またはゴムから形成され得、一方で、ストラップセクションは発泡体から形成される。別の例として、底部セクションは、１つの型の発泡体から形成され得、一方で、ストラップセクションは、別の型の発泡体から形成される。
【００１０】
種々の例において、底部セクションおよびストラップセクションは、同じ材料から形成される。このような材料は、２つの異なる形状に形成された上記の発泡体材料であり得る。他の場合において、ストラップセクションおよび底部セクションは、異なる材料から形成される。例えば、底部セクションは、皮および／またはゴムから形成され得、一方で、ストラップセクションは発泡体から形成される。別の例として、底部セクションは、１つの型の発泡体から形成され得、一方で、ストラップセクションは、別の型の発泡体から形成される。
【００１１】
いくつかの場合において、ストラップセクションは、リベットによって底部セクションに取り付けられる。このようなリベットは、底部セクションをストラップに取り付ける任意のコネクタであり得るが、このストラップを、底部セクションに関して旋回させる。特に、ストラップセクションの一端は、底部セクションの一つの側に釘付けされ、一方で、ストラップの他の側は、底部セクションの他の側に釘付けされる。いくつかの場合において、底部セクションとストラップの療法が、穴あけされて、穴を形成し、その穴を通ってリベットが配置される。他の場合において、穴は、ストラップセクションおよび／または底部セクション中に、製造工程の一部として形成される。このような穴は、ストラップセクションと底部セクションとを取り付けるリベットを受け取るために、引き続いて使用され得る。リベットは、プラスチック製リベットまたは、他の材料（例えば、金属およびゴム）から形成されたリベットであり得る。多くの場合において、リベットは、底部セクションまたはストラップセクションのいずれかよりも高密度な材料から形成される。
【００１２】
リベットは、底部セクションのいずれかの側に位置付けられる取り付け点に配置され得る。このような取り付け点は、背面の靴底周の近く、および／または靴の甲開口部周の近くに位置付けられ得る。いくつかの場合において、１つの取り付け点から他の取り付け点までの背面の靴底周に沿った距離は、ストラップセクションに沿って測定した取り付け点間の距離とおよそ同じである。従って、ストラップセクションは、ストラップセクション内側部分が、背面の靴底周の外側部分に接するように、底部セクションに関して旋回し得る。ストラップセクションの内側部分と背面の靴底周の外側部分との間の接触部での、ストラップセクションと底部セクションとの間の摩擦力は、底部セクションに関して固定されるストラップセクションを維持する。このような位置において、ストラップセクションは、底部セクションの装飾的な部分であるように見える部分を形成し、底部セクションからの足の出し入れを干渉しない。
【００１３】
同様に、１つの取り付け点から他の取り付け点までの靴の甲開口部周に沿った距離は、ストラップセクションに沿って測定した取り付け点間の距離とおよそ同じである。従って、ストラップセクションは、ストラップセクションの内側部分が、靴の甲開口部周の外側部分に接するように、底部セクションに関して旋回し得る。ストラップセクションの靴の甲開口部周と、底部セクションの外側部分との間の接触点での、ストラップセクションと底部セクションとの間の摩擦力は、底部セクションに関して固定されるストラップセクションを維持する。再び、このような位置において、ストラップセクションは、底部セクションの装飾的な部分であるように見える部分を形成し、底部セクションからの足の出し入れを干渉しない。さらに、いくつかの場合において、ストラップは、靴の甲開口部周または背面の靴底周のいずれかに接して固定され得る。
【００１４】
種々の場合において、多数の通風孔が靴の甲に形成される。このような通風孔は、液体および／または空気に、靴の甲の所定の位置を通って通過させる、可変サイズの穴であり得る。いくつかの場合において、このような通風孔は、靴の甲の実質的に水平な部分および靴の甲の実質的に垂直な部分の両方に形成される。このことは、通風孔から入ってくる液体への曝露から足を保護する必要がない適用のための、有意な量の通風孔を提供する。このような適用としては、ボート漕ぎ、海辺での使用、魚釣りなどが挙げられ得るが、これらに限定されない。
【００１５】
あるいは、いくつかの例は、靴の甲の水平な部分に形成される通風孔を備えつつ、靴の甲の実質的に水平な部分を覆う固形物を備え得る。これは、十分な通風孔を提供し、同時に、こぼれた液体から足を保護する。このようなアプローチは、医療従事者、シェフなどによる使用を含む適用について望ましくあり得る。さらに、いくつかの場合において、液体コンダクターが、複数の通風孔の各々の周の少なくとも部分の周りに形成される。このような液体コンダクターは、実質的に垂直な部分に形成される種々の通風孔の周りの靴の甲にこぼれた液体を、これらの通風孔から移動させる。従って、このようなコンダクターは、こぼれた液体への曝露から足をさらに保護し得る。
【００１６】
特定の場合において、靴の甲のつま先領域は、ヒトの足のより大きいつま先に対応する位置で延びる。従って、靴の甲のつま先領域は、一般に、靴の内側のより大きなつま先から、靴の外側のより小さなつま先までのヒトの足の輪郭を取る。このようなアプローチは、増加した快適さおよび／または機能性を提供し得る。さらに、靴底の背面の周は、支持底部の上に隆起させられて、靴の機能性をさらに上昇させ得る。この支持底部は、隆起したパターンを備え得、ここで、足が靴と接する。
【００１７】
本発明の他の実施形態は、底部セクションとストラップセクションとを備える組立式の靴ピースを提供する。ストラップセクションは、リベットを用いて底部セクションに取り付けられ、その結果、ストラップが、底部セクションに関して旋回可能である。リベットは、金属、プラスチックまたはいくつかの他の材料から作製され得る。いくつかの場合において、底部セクションは、発泡体の連続片から形成され、他の場合において、底部せく書ｎは、複数の構成要素のパーツの組立物を備える。これらのパーツは、発泡体、プラスチック、ゴム、皮などが挙げられるが、これらに限定されない、種々の材料から形成され得る。
【００１８】
本発明のなお他の実施形態は、組立式の靴を製造するための方法を提供する。この方法は、底部セクションとストラップセクションを成形する工程を包含する。この方法はさらに、底部セクションへとストラップセクションを取り付ける工程を包含し、その結果、ストラップは、底部セクションに関して旋回する。いくつかの場合において、ストラップセクションは、ストラップの反対の端を底部セクションの反対の側に釘付けすることによって、底部セクションに取り付けられる。種々の場合において、ストラップセクションを適所に釘付けする前に、底部セクションとストラップセクションとを通して穴が穿孔される。他の場合において、底部セクションおよび／またはストラップセクションの成形の間に、穴（この穴を通してリベットが配置される）が形成される。
【００１９】
底部セクションは、靴底および靴の甲を備え得る。靴底は、背面の靴底周を備え、靴の甲は、靴の甲の開口部周を備える。特定の場合において、リベット穴が、背面の靴底周の中央点からと、靴の甲の開口部周の中央点からほぼ同じ距離に配置される。従って、ストラップは、靴の甲および靴底にわたって収められ得、装飾的な特徴として装着されるか、または、対照的に、機能的なストラップとして、靴底もしくは靴の甲のいずれかから離れて装着され得る。
【００２０】
この要旨は、本発明に従ういくつかの実施形態の一般的な要点のみを提供する。本発明の多くの他の目的、特徴、利点および他の実施形態は、以下の詳細な説明、添付の特許請求の範囲および添付の図面からより完全に明らかとなる。
【００２１】
本発明の種々の実施形態のさらなる理解は、明細書の残りの部分に記載される図面を参照することによって実現され得る。図面において、同様の参照番号がいくつかを通して用いられ、同様の構成要素を参照する。いくつかの例において、下付き文字からなるサブラベルは、参照番号と関連し、複数の同様の構成要素のうちの１つを示す。存在しているサブラベルに対して説明することなく参照番号について参照がなされる場合、このような複数の同様の構成要素全てを指すことが意図される。
【００２２】
（発明の詳細な説明）
とりわけ、本発明は、種々のフットウェアピースと、このようなピースを製造するための方法を提供する。種々の場合において、フットウェアピースは、複数の階層を持つ材料または発泡体材料を用いて成形される。いくつかの例示的な場合において、フットウェアピースは、フットウェアピースの靴底と接して動かされ得、かつ、フットウェアピースの靴底に関して固定され得るか、または、フットウェアピースの靴の甲と接して動かされ得、かつ、フットウェアピースの靴の甲に関して固定され得る、旋回するストラップを備える。いくつかの他の場合において、フットウェアピースは、フットウェアピースの通気孔または穴の周りに形成される液体導体を備える。このような液体導体は、フットウェアピースに挿入される足から、液体を分散するように働く。
【００２３】
図１を参照すると、本発明のいくつかの実施形態に従うフットウェアピース１００が示される。フットウェアピース１００は、底部セクション１１０とストラップセクション１２０を備える。底部セクション１１０は、靴の甲１５０と靴底１６２を備える。いくつかの実施形態において、底部セクションは、発泡体材料の単一のピースとして形成される。他の実施形態において、靴底１６２は、発泡体または他の発泡体様材料から形成されるが、一方で、靴の甲１５０は、後に靴底１６２と組み立てられて底部セクション１１０を形成する別の材料から製造される。
【００２４】
靴の甲１５０は、１つ以上の通風孔１８２を備え得る実質的に水平な部分１５２を備える。通風孔１８２は、底部セクション１１０が形成されるように、靴の甲１５０に形成される開口部であり得るが、これらに限定されない。あるいは、通風孔１８２は、靴の甲１５０の形成および／または組立の後に靴の甲１５０に形成される開口部であり得る。なお別の代替としては、通風孔１８２は、靴の甲１５０に関連する組立プロセスの部分として形成され得る。従って、例えば、通風孔１８２は、靴の甲１５０の組み立てられた部分の間の開口部であり得る。本明細書中に提供される開示に基づいて、当業者は、多数の異なる通風孔の型とこれを形成するための方法を理解する。
【００２５】
靴の甲１５０は、１つ以上の通風孔１８１を備える実質的に垂直な領域１５１をさらに備える。通風孔１８２と同様に、通風孔１８１は、底部セクション１１０が形成されるように、靴の甲１５０に形成される開口部であり得るが、これらに限定されない。あるいは、通風孔１８１は、靴の甲１５０の形成および／または組立の後に、靴の甲１５０に形成される開口部であり得る。なお別の代替としては、通風孔１８１は、靴の甲１５０に関連する組立プロセスの部分として形成され得る。従って、例えば、通風孔１８１は、靴の甲１５０の組み立てられた部分の間の開口部であり得る。本明細書中に提供される開示に基づいて、当業者は、多数の異なる通風孔の型と、これを形成するための方法を理解する。
【００２６】
靴の甲１５０は、ヒトの足が底部セクション１１０の挿入される場合に、ヒトの足のつま先を囲むつま先領域１５５をさらに備える。いくつかの実施形態において、つま先領域１５５は、底部セクション１１０の内側領域から底部セクション１１０の外側領域までテーパーされ、その結果、より大きなつま先が足の内側に存在し、足が外側により小さなつま先までテーパーされる、ヒトの足の輪郭にほぼ沿う。このことは、フットウェアピース１００がヒトの足の形状を確認するように、機能的に有利であり得る。他の実施形態において、つま先領域１５５は、テーパーが存在しない四角の断面であり、一方で、な他の実施形態は、つま先セクションが底部セクション１１０の中央点の近くまでの最大の拡大を有し、中央点から両方向にテーパーされている、角の丸い四角を提供する。本明細書中に提供される開示に基づいて、当業者は、つま先領域１５５のための多数の形状を理解する。
【００２７】
図示されるように、靴の甲１５０は、靴の甲の開口部周１７０に向かって隆起する実質的に水平な領域１５２を備える。擦り減った場合、靴の甲の開口部周は、踝の前および下のヒトの足の領域と接触し得る。靴の甲１５０は、靴の甲の開口部周１７０がつま先領域１５５からほんの短い距離に配置されるように設計され得、この場合、実質的に水平な領域１５２に形成される。あるいは、靴の甲１５０は、踝に向けて足をさらに延ばすように設計され得、この場合、靴の甲１５０のより垂直な領域内である。装飾的なパターン１９０が、靴の甲の開口部周１７０の近くに形成されるかまたは作製されてもされなくてもよい。図示されるように、靴の甲の開口部周１７０は、リベット１３１の位置から、リベット１３１ｂの位置まで延び得る（他の図面に示す）。
【００２８】
靴底１６２は、靴底１６０の背面の部分を規定する背面の靴底周１６０を備える。いくつかの場合において、この領域は、ヒトの足の底部分と接触する領域である、支持底部１６５の上に隆起する。このような隆起した背面の靴底周は、ヒトの足のかかとにいくつかの支持を提供し、フットウェアピース１００を定位置に維持するのを助ける。他の実施形態において、背面の靴底周１６０は隆起されない。
【００２９】
ストラップセクション１２０は、外側領域１２２、中間領域１２１、および角の丸い端部１３０を備える。いくつかの場合において、ストラップセクション１２０は、リベット１３１によって底部セクション１１０に取り付けられており、リベット１３１は、取り付け点にて、ストラップ端１３０と靴の甲１５０の両方の穴を通して配置される。ストラップセクション１２０は、一方向に旋回する場合、靴の甲の開口部周１７０に接し得、他の方向に旋回する場合、背面の靴底周１６０と接し得るように、底部セクション１１０に対して旋回し得る。いくつかの実施形態において、ストラップセクション１２０は、前に旋回する場合に、内側領域１２１が、靴の甲の開口部周１７０の外側表面と接触するような寸法を備える。内部領域１２１と靴の甲の開口部周１７０の接触点における摩擦力は、底部セクション１１０に対して固定された位置にストラップセクション１２０を維持する。
【００３０】
あるいは、ストラップセクション１２０は、ストラップセクション１２０が後方に旋回される場合、内側領域１２１が、背面の靴底周１６０の外側表面に接するような寸法を備え得る。内側領域１２１と背面の靴底周１６０との間の接触点における摩擦力は、ストラップセクション１２０を底部セクション１１０に関して固定された位置に維持する。このような位置において、ストラップ１２０は、フットウェアピース１００の装飾的な部分であり得る。
【００３１】
なお別の代替として、ストラップセクション１２０は、背面の靴底周１６０と、上部開口部周１７０との間の中間の位置に配置され得る。この位置において、ストラップは、ヒトの足のアキレス位置への実利的な目的の適合させる支持体として機能し、従って、フットウェアピース１００をヒトの足の適所に維持するのを補助する。いくつかの実施形態において、ストラップ１２０と靴の甲１５０との間で、リベットの位置に生じる摩擦力は、ストラップ１２０を適所に維持するのに十分である。このことは、足のアキレス部分がストラップ１２０に対して圧迫されない場合でさえも、ストラップ１２０が適所にあるままであることを保証するのに役立つ。このような摩擦がなければ、ストラップ１２０は、重量に屈して、フットウェアピースが足に固定された状態で維持されなくてもよい位置に落ちる。同時に、接触点での摩擦力が、ストラップ１２０を容易に移動させるのに十分なように設計することが望ましくあり得る。
【００３２】
特定の実施形態において、ストラップ１２０は、有意に変形して、多数の足型に快適なフットウェアピース１００を作成し得る発泡体材料から形成される。他の実施形態において、ストラップ１２０は、足がフットウェアピース内に維持されるよりよい確実さを提供する、あまり変形可能でない材料から形成される。なお他の実施形態は、有意な変形能を備え、なお、足にしっかりとストラップで固定することができる、調節可能なストラップを備える。このような実施形態は、以下の図１０に関連して、さらに議論される。
【００３３】
図２は、フットウェアピース１００の側面図を示し、一方で、図３は、フットウェアピース１００の平面図を提供する。図４および５は、それぞれ、フットウェアピース１００の前面図および背面図を提供する。さらに、図６は、靴底１６２の底部を示す。示されるように、靴底１６２は、隆起した側面部分１９８、前面の凹凸パターン１９６、および背面の凹凸パターン１９４を備える。前面の凹凸パターン１９６は、内側の長手軸方向の凹凸部分１９９と外側の矩形凹凸部分１９７を備える。同様に、背面の凹凸パターン１９４は、内側の長手軸方向の凹凸部分１９３と外側の矩形凹凸部分１９２を備える。これらに基づいて、当業者は、フットウェアピース１００に関して用いられ得る、多くの他のトレード（ｔｒａｄｅ）パターンおよび／または構成を理解する。
【００３４】
図７を参照すると、本発明の他の実施形態に従う、別のフットウェアピース２００が図示される。フットウェアピース２００は、以前に記載したフットウェアピース１００の特性と同様な多数の特性を備える。しかし、対照的に、靴の甲の実質的に水平な部分２５０は、中実の構造体である。従って、こぼれているか、そうでなければ、実質的に水平な部分２５０と接している液体物質は、フットウェアピース２００に浸透しない。このことは、医療または、足が、こぼれた物質から少なくともいくらかは保護される必要がある、他の市販の適用において有利であり得る。さらに、多数の通風孔２８１が靴の甲の実質的に垂直な部分に形成される。液体導性部分２１０、２１１、２１２が、各通風孔２８１の周りに形成される。液体導性部分２１０、２１１、２１２は、液体が、上部のフットウェアピース２００から通風孔２８１を通って入るように逸らさせ得る、任意の形態または構造体であり得る。１つの実施形態において、液体導性部分２１０、２１１、２１２は、靴の甲の部分として成形される。図８は、種々の液体導性部分を示す、フットウェアピースの平面図である。
【００３５】
図９は、本発明に従うフットウェアピースを製造するための方法を示す、フローチャート９００である。フローチャート９００に従って、底部セクションおよびストラップセクションが形成される（ブロック９１０、９２０）。底部セクションおよびストラップセクションが、２つのピースが接触される位置に穿孔される（ブロック９３０、９４０）。ストラップおよび底部セクションの穿孔は、整列され（ブロック９５０）、リベットのオス型部分が、整列された穿孔を通して挿入され（ブロック９６０）、そして、リベットのメス型部分が、オス型部分と係合され、従って、底部セクションにストラップセクションを固定する。
【００３６】
図１０ａを参照すると、本発明の他の実施形態に従う別のフットウェアピース１０００が示される。フットウェアピース１０００は、ストラップ１１２０が調節を可能にするように改変されていることを除いて、以前に記載されるフットウェアピース１００と同様である。示されるように、ストラップ１１２０は、主要部分１１２１と接続部分１１６０とを備える。接続部分１１６０が、リベット１１７０または、当該分野で公知の他の旋回可能な接続によってフットウェアピース１０００の底部セクション１１１０に取り付けられる。主要部分１１２１は、リベット（示さず）を介して反対側に取り付けられ、その上に取り付けられるオス型のＶｅｌｃｒｏ（登録商標）部分１１４０と、そこから舌のように延びるメス型のＶｅｌｃｒｏ（登録商標）部分１１３０とを備える。
【００３７】
メス型のＶｅｌｃｒｏ（登録商標）部分１１３０は、接続部分１１６０に取り付けられるバックル１１５０を通して供給され、所望のきつさが達成されるまで、引っ張られる。メス型のＶｅｌｃｒｏ（登録商標）部分１１３０は、次いで、図１０ｂに示されるように、オス型のＶｅｌｃｒｏ部分１１４０にかぶせられる。当業者は、他の接続材料が、Ｖｅｌｃｒｏ（登録商標）の代わりに使用され得、そして、オス型１１４０とメス型１１３０のＶｅｌｃｒｏ（登録商標）部分が交換され得ることを理解する。さらに、本明細書中に提供される開示に基づいて、当業者は、調節がストラップ１１２０のいずれかの側または両側で使用され得るか、または、ストラップ１１２０の中央に配置され得ることを理解する。
【００３８】
図１１は、本発明のいくつかの実施形態に従う、なお別のフットウェアピース１１００を示す。フットウェアピース１１００は、旋回可能なストラップを備えた、つま先の開いたモデルである。本明細書中に提供される開示に基づいて、当業者は、図１０に示される調節可能なストラップ１１２０がまた、フットウェアピース１１００に関して用いられ得ることを理解する。
【００３９】
以前に示唆されるように、本明細書中に開示されるフットウェアピースは、複数の階層を持つ発泡体材料からなり得る。このような複数の階層を持つ発泡体材料を用いるフットウェアピースの製造は、樹脂、色素および膨張添加物の予混合物を含む樹脂を提供する工程を包含し得る。元々はペレットの形態の樹脂を加熱して、液体状態にする。この液体樹脂を、樹脂を受け取るまえに加熱しておいた型にねじ込む（ｓｃｒｅｗ  ｉｎｔｏ）。型にねじ込まれる樹脂の量は、型へと液体樹脂を駆動するスクリューのピッチによって制御される。液体樹脂が固められ、その時点で型が開かれ、形成されたフットウェアピースが型からはずされる。形成されたフットウェアピースは、次いで、冷却靴型に置かれ、ここで風乾される。
【００４０】
これらのプロセスの間、型のサイズに合う、比較的小さいフットウェアピースが作製されるが、型が開いている場合、フットウェアピースは、そのサイズを拡大するように、飛び出る。次いで、フットウェアピースが風冷されるにつれ、フットウェアピースは、その最終的なサイズに収縮する。こうして、このプロセスは、拡大特性と収縮特性の両方を包含する。拡大特性によって、型内のフットウェアピースのサイズを乗算することにより、型が開かれた後のフットウェアピースのサイズを得る。収縮特性により拡大特性を乗算することにより、型に対する靴の最終的なサイズの代表的な最終膨張値を提供する。
【００４１】
このような製造プロセスにおいて、多数の構成要素が、所望の最終結果を達成するために制御され得る。これらの構成要素としては、型に導入される材料の容量、型のサイズ、用いられる材料の組成、および、冷却靴型のサイズが挙げられる。形成されるフットウェア製品の以前の製造者は、例えば、４サイズの方を用いて、６つの異なるサイズのフットウェアピースを作製している。従って、例えば、同じ型から２つの異なるサイズの靴を作製するためには、ある量の材料を型にねじ込んで１つの靴のサイズを作製し、そして、別の量の同じ材料を同じ型にねじ込んで別の靴のサイズを作製する。一旦型から取り外されると、靴は別のサイズの冷却靴型で冷却される。こうして、これらのプロセスは、型のサイズと組成は固定されたまま、改変された用量と冷却靴型のサイズを使用して、最終製品を調節する。こうして別のサイズの靴を作製しつつ、最終的なサイズの調節が、いくらかは制限され、そして／または予測不可能であることが見出された。
【００４２】
部分的にこの問題に取り組むために、本発明の実施形態は、一定量および一定の組成の材料と、冷却靴型のサイズを使用し、他方で、型のサイズを変更して、最終製品のサイズを調節する。以前に記載されたアプローチと比較した場合、このようなアプローチが、高い程度の調節をもたらすことが見出されている。このアプローチは、同じ色の樹脂から製造される靴に特に有益である。別の色が含まれる場合、色間でサイズの調節を達成するために、樹脂の組成は、色を越えて変化し得る。この組成の調節は、以下により完全に記載される。
【００４３】
１つの特定の実施形態において、樹脂は、エチレン酢酸ビニル（ＥＶＡ）コポリマーベースの材料である。この特定の場合において、添加物がＥＶＡベースと共に含まれて、拡張可能かつ架橋する材料を作製する。より特には、拡張する粉末が添加され、この粉末は、特定の温度で分解して、気体を生じ、このことにより、材料が、型内で固まるように隆起する。従って、型が開かれている場合、形成された部分の瞬間的な拡大が生じる。この拡大の間、この部分の寸法は急速に増加し、一方で、割合と形状は、適度に一定のままであり、元々の型に対して、一貫性のある形状の最終的な部分を提供する。このような架橋および拡大のさらなる開示は、欧州特許０  ８０２  ０３９  Ａ２（１９９７年３月２５日出願、イタリア国のＦＩＮＰＲＯＪＥＣＴＴＭに譲渡される）に提供される。
【００４４】
本発明のいくつかの実施形態は、以前に記載されるように、ＥＶＡ（ＬＥＶＩＲＥＸＴＭとして商業上公知であり、そして、イタリア国のＦＩＮＰＲＯＪＥＣＴＴＭにより市販されている）を利用する。１．４７と１．５８との間の最終膨張値を示すＬＥＶＩＲＥＸＴＭの混合物を作製することが望ましいことが見出されている。１つの特に好ましい実施形態において、およそ１．５１の最終膨張値が使用される。これは、およそ２．５の拡大特性と、およそ０．６の収縮特性を含む。これらは、非常に良好な滑り止め特性と、同時に、サイズの再生能力および耐久性とを有する、比較的柔らかいフットウェアピースを提供する。
【００４５】
いくつかの場合において、樹脂混合物（ＬＥＶＩＲＥＸＴＭ、膨張添加物および色素）は、フットウェアピースの所望の色に基づいて成形される。これは、特定の色に関する色素の濃度に少なくとも部分的に起因する。樹脂混合物が調整されない場合、全ての他の因子が一定のままであるカーキのフットウェアピースよりもかなり小さい緑色のフットウェアピースが産生される。このことは、例えば、フットウェアピースがインターネットを介して販売され、そして、消費者が、購入前にフットウェアピースを試着し得ない場合に、容認し得ない。このことを解決するために、緑色の樹脂についての最終膨張値は、およそ１．５１５に調節され、一方で、カーキの樹脂についての最終膨張値は、およそ１に調節される。こうして、混合物を改変することによって、複数の色を越えて適切なサイズの靴が産生され得る。
【００４６】
フットウェアピースは、以前に記載されたように成形され得るが、本明細書中に提供される開示に基づいて、当業者は、本発明の種々の実施形態が、他の成形プロセスおよび／または組立方法に関して利用され得ることを理解する。例えば、当該分野で公知の技術を用いて、硬プラスチックフットウェアピースが、注入成形され得るか、または、フットウェアピースが、皮または他の天然の材料から少なくとも部分的に作製され得る。別の例として、フットウェアピースは、風冷よりはむしろフロン冷却され得る。このことは、製造プロセスの速度を増すために使用され得る。
【００４７】
本発明は、ここで、明確さおよび理解の目的のために詳細に記載された。しかし、特定の変更および改変が、添付の特許請求の範囲内で実施され得ることが理解される。従って、本発明に従う多くの他のシステム、機能、方法およびこれらの組み合わせが可能であることが認識されるはずである。従って、本発明は、特定の実施形態およびその図面を参照して記載されるが、これらの実施形態および図面は単なる例示であって、本発明を制限しない。むしろ、本発明の範囲は、添付の特許請求の範囲によってのみ、決定されるべきである。
【図面の簡単な説明】
【００４８】
【図１】図１は、本発明の実施形態に従うフットウェアピースの図である。
【図２】図２は、本発明の実施形態に従うフットウェアピースの図である。
【図３】図３は、本発明の実施形態に従うフットウェアピースの図である。
【図４】図４は、本発明の実施形態に従うフットウェアピースの図である。
【図５】図５は、本発明の実施形態に従うフットウェアピースの図である。
【図６】図６は、本発明の実施形態に従うフットウェアピースの図である。
【図７】図７は、本発明の他の実施形態に従う別のフットウェアピースの図である。
【図８】図８は、本発明の他の実施形態に従う別のフットウェアピースの図である。
【図９】図９は、本発明の実施形態に従う、製造方法を示すフローチャートである。
【図１０】図１０ａおよび１０ｂは、本発明の他の実施形態に従う別のフットウェアピースを示す。
【図１１】図１１は、本発明の種々の実施形態に従う、なお別のフットウェアピースを示す。
【図１】
2006514859.tif 000003
【図２】
2006514859.tif 000004
【図３】
2006514859.tif 000005
【図４】
2006514859.tif 000006
【図５】
2006514859.tif 000007
【図６】
2006514859.tif 000008
【図７】
2006514859.tif 000009
【図８】
2006514859.tif 000010
【図９】
2006514859.tif 000011
2006514859.tif 000012
2006514859.tif 000013
【図１１】
2006514859.tif 000014
【手続補正書】
【提出日】平成17年1月18日(2005.1.18)
【手続補正１】
【補正対象書類名】特許請求の範囲
【補正対象項目名】全文
【補正方法】変更
【補正の内容】
【特許請求の範囲】
【請求項１】
通気性のフットウェアピースであって、該通気性のフットウェアピースは、靴の甲と靴底とを備える底部セクションを備え、該靴の甲が、実質的に水平な部分と実質的に垂直な部分を備え、該実質的に水平な部分が、中実な部分であり、そして、複数の通気孔が該実質的に垂直な部分に形成される、通気性のフットウェアピース。
【請求項２】
通気孔の各々の周りに液体導体構造体が形成され、該構造体は、液体が前記フットウェアピースの上から移動して、該通気孔を通って入るのを迂回させ得る、請求項１に記載の通気性のフットウェアピース。
【請求項３】
前記液体導体構造体が、前記靴の甲に取り付けられる、請求項２に記載の通気性のフットウェアピース。
【請求項４】
前記液体導体構造体が、前記靴の甲の一部として形成される、請求項２に記載の通気性のフットウェアピース。
【請求項５】
前記底部セクションが、混合されて、拡大係数および収縮係数を示し、これらの積（最終膨張値）が１．４６と１．５８との間である樹脂を用いて製造された発泡体材料の連続片から成形される、請求項１に記載の通気性のフットウェアピース。
【請求項６】
穴の形態の前記複数の通気孔が、前記底部セクションを成形する一部として前記靴の甲に形成される、請求項５に記載の通気性のフットウェアピース。
【請求項７】
前記靴底が、底部表面と支持底部を備え、該支持底部が隆起したパターンを備え、該隆起したパターンにおいて足が該支持底部に接する、請求項１に記載の通気性のフットウェアピース。
【請求項８】
通気性の作業靴であって、該通気性の作業靴は、靴の甲と靴底とを備え、ここで、該靴の甲は、液体導体構造体によって取り囲まれる少なくとも１つの通気孔を備え、該構造体は、液体が該作業靴の上から移動して、該通気孔を通って入るのを迂回させ得る、通気性の作業靴。
【請求項９】
前記靴の甲と前記靴底とが、単一のパーツとして形成される、請求項８に記載の通気性の作業靴。
【請求項１０】
前記単一のパーツが、発泡体材料から製造される、請求項９に記載の通気性の作業靴。
【請求項１１】
前記液体導体構造体が、前記靴の甲の一部として形成される、請求項８に記載の通気性の作業靴。
【請求項１２】
前記液体導体構造体が、前記靴の甲に取り付けられる、請求項８に記載の通気性の作業靴。
【請求項１３】
通気性の作業靴を製造するための方法であって、該方法は以下：
型を提供する工程であって、該型は、靴の甲および靴底の輪郭を提供し、該靴の甲は実質的に水平な部分と実質的に垂直な部分とを備え、ここで、該実質的に水平な部分は中実な部分であり、そして、複数の通気孔が該実質的に垂直な部分において形成される、工程；
一定分量の樹脂を該型にねじ込む工程であって、該樹脂は、フットウェアピースの形態で固まる、工程；
該型を開く工程；ならびに
該フットウェアピースを取り外す工程
を包含する、方法。
【請求項１４】
前記靴の甲の輪郭が、前記複数の通気孔の各々の周りに形成される液体導体構造体を備える、請求項１３に記載の方法。
【請求項１５】
前記方法が、さらに、フットウェアピースを風冷する工程を包含する、請求項１３に記載の方法。
【請求項１６】
前記フットウェアピースが、前記型が開いているときに拡大し、該フットウェアピースが冷却されるときに収縮する、請求項１３に記載の方法。
【請求項１７】
前記最終膨張値が、約１．５１である、請求項１６に記載の方法。
【請求項１８】
組立式のフットウェアピースであって、該組立式のフットウェアピースは、以下：
第１のパーツとして形成される靴の甲と靴底とを備える底部セクション；および
第２のパーツとして形成されるストラップセクションであって、該ストラップセクションは、該ストラップが、該底部セクションに対して旋回するように、該底部セクションに取り付けられる、ストラップセクション
を備える、組立式のフットウェアピース。
【請求項１９】
前記第１のパーツが、混合されて、両端を含めて、１．４６と１．５８との間の最終膨張値を示す樹脂から製造された発泡体材料の連続片から成形される、請求項１８に記載の組立式のフットウェアピース。
【請求項２０】
前記材料の連続片が、発泡体材料の第１の連続片であり、ここで、前記ストラップセクションが、発泡体材料の第２の連続片から成形される、請求項１９に記載の組立式のフットウェアピース。
【請求項２１】
前記ストラップセクションが、第１のリベットと第２のリベットによって前記底部セクションに取り付けられ、該第１のリベットは、該ストラップセクションの第１の端を該底部セクションの第１の側に固定し、第２のリベットが、該ストラップセクションの第２の端を該底部セクションの第２の側に固定する、請求項１８に記載の組立式のフットウェアピース。
【請求項２２】
前記取り付け点における、前記ストラップセクションと前記底部セクションとの間に生じる摩擦力が、旋回後に該ストラップを定位置に維持するのに十分である、請求項１８に記載の組立式のフットウェアピース。
【請求項２３】
前記第１のリベットが第１の取付け点に配置され、前記第２のリベットが、第２の取り付け点に配置され、前記底部セクションが、靴の甲の開口部周を備え、該底部セクションが、背面の靴底周を備え、ここで、該靴の甲の開口部周に沿った、該第１の取り付け点から該第２の取り付け点までの距離は、前記ストラップセクションに沿った該第１の取り付け点から該第２の取り付け点までとほぼ同じ距離であり；そして、該背面の靴底周に沿った該第１の取り付け点から該第２の取り付け点までの距離は、該ストラップセクションに沿った該第１の取り付け点から該第２の取り付け点までとほぼ同じ距離である、請求項２１に記載の組立式のフットウェアピース。
【請求項２４】
複数の通気孔が前記靴の甲に形成される、請求項１８に記載の組立式のフットウェアピース。
【請求項２５】
前記靴の甲が、実質的に水平な部分と実質的に垂直な部分とを備え、前記複数の通気孔の少なくとも１つが、該実質的に垂直な部分に形成され、そして、該複数の通気孔の少なくとも１つが該実質的に水平な部分に形成される、請求項２４に記載の組立式のフットウェアピース。
【請求項２６】
前記靴の甲のつま先領域が、ヒトの足のより大きいつま先に対応する位置に延び、該靴の甲のつま先領域が、ほぼヒトの足の輪郭に沿う、請求項１８に記載の組立式のフットウェアピース。
【請求項２７】
前記靴底が、支持底部を備え、該支持底部が隆起したパターンを備え、ここで足が該支持底部に接する、請求項１８に記載の組立式のフットウェアピース。
【請求項２８】
組立式のフットウェアピースであって、該組立式のフットウェアピースは、以下：
靴の甲と靴底とを備える底部セクションであって、該靴の甲が靴の甲の開口部周によって規定される開いた背面領域を備え、該靴底が背面周を備える、底部セクション；および
旋回可能な接続によって該底部セクションに取り付けられるストラップセクションであって、該ストラップセクションは、該底部セクションに関して、該靴の甲の開口部周上の第１の接点と該背面周上の第２の接点との間で旋回可能であり、ここで、該取付け点における該ストラップセクションと該底部セクションとの間に生じる摩擦力は、中間の位置に旋回した後、該ストラップを定位置に維持するのに十分であり、それによって、該ストラップセクションが、該開いた背面領域に挿入されるヒトの足のアキレス部分を支持するのに役立つ、ストラップセクション
を備える、組立式のフットウェアピース。
【請求項２９】
前記旋回可能な接続がプラスチック製または金属製のリベットである、請求項２８に記載の組立式のフットウェアピース。
【請求項３０】
前記底部セクションと前記ストラップセクションが、発泡体材料から形成される、請求項２８に記載の組立式のフットウェアピース。
【請求項３１】
組立式のフットウェアピースを製造するための方法であって、該方法は以下：
底部セクションを成形する工程であって、該底部セクションは、靴の甲と靴底とを備える、工程；
ストラップセクションを成形する工程；および
該ストラップセクションを該底部セクションに取付け、その結果、該ストラップが、該底部セクションに関して旋回する、工程
を包含する、方法。
【請求項３２】
前記ストラップセクションの前記底部セクションへの取り付けが、該ストラップセクションの第１の端を該底部セクションの第１の側に釘付けする工程および該ストラップセクションの第２の端を該底部セクションの第２の側に釘付けする工程とを包含する、請求項３１に記載の方法。
【請求項３３】
前記ストラップセクションが、前記底部セクションへと取り付けられ、その結果、該取り付け点において摩擦力が生じ、該摩擦力が、該ストラップを旋回後に定位置に維持するのに十分である、請求項３１に記載の方法。
【国際調査報告】
2006514859.tif 000015
2006514859.tif 000016